(57)【特許請求の範囲】
【請求項１】
最外層および最内層にヒートシール性樹脂層を設けた紙層を基材とする積層材料からなり、円筒状胴部、円形底部、および円形天部を有し、前記天部に飲み口を設け、かつこの飲み口の上部に介在フィルムを介して封止材で密封した紙容器において、天部の上面の樹脂層と介在フィルムの下面の樹脂層の樹脂を同種とし、かつ介在フィルムの上面の樹脂層と封止材の下面の樹脂層の樹脂を同種とすると共に、前記天部の上面の樹脂層と封止材の下面の樹脂層の樹脂を異種とし、封止材の仮接着部を天部の上面の箇所に形成したことを特徴とする、開口容易な飲み口を有する紙容器。
【請求項２】
前記天部の上面の樹脂層と介在フィルムの下面の樹脂層がポリエチレン系樹脂で、介在フィルムの上面の樹脂層と封止材の下面の樹脂層の樹脂がポリプロピレン系樹脂を用いたことを特徴とする、請求項１記載の開口容易な飲み口を有する紙容器。
【請求項３】
前記天部の上面の樹脂層と介在フィルムの下面の樹脂層がポリプロピレン系樹脂で、介在フィルムの上面の樹脂層と封止材の下面の樹脂層の樹脂がポリエチレン系樹脂を用いたことを特徴とする、請求項１記載の開口容易な飲み口を有する紙容器。
【発明の詳細な説明】
【０００１】
【発明の属する技術分野】
本発明は、紙層を基材とする積層材料からなり、飲み口を封止する封止材の開口が良好で、かつ飲み口の密封性も良好な紙容器に関する。
【０００２】
【従来の技術】
近年、お酒、ジュース、コーヒー等の飲料は、図３に示すような円筒型紙製容器が用いられるようになり、この容器は、最外層および最内層にヒートシール性樹脂からなる樹脂層を形成した、紙層を基材とする積層材料を成形したものである。
【０００３】
この紙容器１は、胴部２の上下にそれぞれ天部３、および底部４を胴部２の上下にそれぞれ巻締めて一体化した構成である。そして、天部３には、飲み口５が設けられており、この飲み口５の上部に密封強度をコントロールするために介在フィルム６を介して、封止材７の一端に仮接着部８を形成し、また飲み口５の周辺に密封シール部９を設けて密封してなる。
ここで、紙容器１にジュース等の飲料を無菌充填包装するには、図４に示すように、先ず封止材７の中心側の部分を介在フィルム６上に仮接着部８を設け、次に封止材７を起立させた状態で、充填機内で容器の殺菌、除去、飲料の充填を行う。そして、封止材７を元に戻して、介在フィルム６とにより、飲み口５の周辺を密封シールする。
このように、封止材７を介在フィルム６上で、仮接着、密封シールの両方を行うため、適度なシール強度（仮接着部は剥がれ易く、密封シール部９は漏れがないように密封する）にコントロールするのが困難であった。
すなわち、封止材７の仮接着部８のシール強度が大きいと、摘み部が小さい最初は、封止材を引っ張り起こすことが困難であり、飲み口を開口するのが面倒であった。
【０００４】
【発明が解決しようとする課題】
本発明は、封止材の仮接着部の接着強度は、剥がし易い強度で、かつ密封シール部の強度は、飲料が漏れるおそれのない強度でシールされた、開口容易な飲み口を有する紙容器を提供することを目的とする。
【０００５】
【課題を解決するための手段】
本発明は、最外層および最内層にヒートシール性樹脂層を設けた紙層を基材とする積層材料からなり、円筒状胴部、円形底部、および円形天部を有し、前記天部に飲み口部を設け、かつこの飲み口の上部に介在フィルムを介して封止材で密封した紙容器において、天部の上面の樹脂層と介在フィルムの下面の樹脂層の樹脂を同種とし、かつ介在フィルムの上面の樹脂層と封止材の下面の樹脂層の樹脂を同種とすると共に、前記天部の上面の樹脂層と封止材の下面の樹脂層の樹脂を異種とし、封止材の仮接着部を天部の上面の箇所に形成したことを特徴とする、開口容易な飲み口を有する紙容器である。
【０００６】
また、本発明は、前記天部の上面の樹脂層と介在フィルムの下面の樹脂層がポリエチレン系樹脂で、介在フィルムの上面の樹脂層と封止材の下面の樹脂層の樹脂がポリプロピレン系樹脂を用いたことを特徴とする、開口容易な飲み口を有する紙容器である。
また、本発明は、前記天部の上面の樹脂層と介在フィルムの下面の樹脂層がポリプロピレン系樹脂で、介在フィルムの上面の樹脂層と封止材の下面の樹脂層の樹脂がポリエチレン系樹脂を用いたことを特徴とする、開口容易な飲み口を有する紙容器である。
【０００７】
【発明の実施の形態】
図１は、本発明の容器本体の天部を示す平面図で、図２は，図１のＡ−Ａからの断面図である。
容器本体１０の胴部１２の上部に、天部１３に設けられた飲み口１５の上方に介在フィルム１６が接着され、この飲み口１５および介在フィルム１６を覆う封止材１７を設ける。この時、飲み口１５周辺に、封止材１７の中心側の長さを、介在フィルム１６の長さより長くすることにより、封止材１７の下面と介在フィルム１６上面との樹脂層間の密封シール部２０、および封止材１７の下面と天部１３の上面との樹脂層間で仮接着部２１が形成される。
【０００８】
ここで、具体的な材料の構成として、天部１３は、上面からポリエチレン（以下ＰＥ）／紙層／ＰＥ／ポリエチレンテレフタレート（以下ＰＥＴ）／ＰＥからなる積層材料で形成されている場合、介在フィルム１６は、上面からポリプロピレン（以下ＰＰ）／ＰＥの積層材料とし、天部１３の上面の樹脂層と介在フィルム１６の下面の樹脂層を同種の樹脂として、強固に接着可能な構成とする。
また、封止材１７は、上面からアルミニウム箔（以下Ａｌ箔）／ＰＰの積層材料を用い、封止材１７の下面の樹脂層と介在フィルム１６の上面の樹脂層を同種の樹脂とし、密封シールを確実に行う。
前記の構成とすることにより、天部１３の上面の樹脂層と封止材１７の下面の樹脂は異種の樹脂からなる構成となる。
【０００９】
また、天部１３を、上面からＰＰ／紙層／ＰＥ／ＰＥＴ／ＰＥからなる積層材料で形成する場合、介在フィルム１６は、上面からＰＥ／ＰＰの積層材料とすればよい。
そして、封止材１７は、上面からアルミニウム箔（以下Ａｌ箔）／ＰＥの積層材料を用いる。
【００１０】
このように、天部１３の構成が、天部１３の上面の樹脂層と、介在フィルム１６の下面の樹脂層が同種の樹脂で、また、介在フィルム１６の上面の樹脂層と、封止材１７の下面の樹脂層が同種の樹脂であり、かつ、天部１３の上面の樹脂層と、封止材１７の下面の樹脂層の樹脂は異なる樹脂で形成されれば、前記の樹脂に限定されるものでなく、目的に応じてヒートしーる性樹脂を適宜樹脂を選定すればよい。
【００１１】
これにより、上方から加熱加圧してヒートシールすると、仮接着部２１は、疑似接着状態となるので、開封の摘み部が小さくても、容易に開封を開始することができる。また、密封シール部２０は、同種の樹脂で、溶融状態となるので、密封性が良好で、しかも開口に際しては、摘み部が大きくなり、シール強度が大きくても容易に開封することができる。
【００１２】
また、容器本体にバリア性を必要とする場合は、紙層お内側にバリア性材料を配置すればよい。
このバリア性材料として、アルミニウム箔、金属あるいはまたは金属酸化物蒸着フィルム、またはエチレンービニルアルコール共重合体等のガスバリア性樹脂のいずれか一種、またはこれらを組み合わせて使用すればよい。
【００１３】
【発明の効果】
本発明は、以上の構成からなるので、仮接着部は、疑似接着状態となるので、開封の摘み部が小さくても、容易に開封を開始することができる。また、密封シール部、同種の樹脂で、溶融状態となるので、密封性が良好で、しかも開口に際しては、摘み部が大きくなり、密封シール部のシール強度が大きくても容易に開封することができる。
【図面の簡単な説明】
【図１】は、本発明の紙容器のの天部の一例を示す平面図である。
【図２】は、図１のＡ−Ａからの断面図である。
【図３】は、円筒型紙容器の説明図である。
【図４】は、図３の容器を用いて充填する状態を示す説明図である。
【符号の説明】
１０…容器本体
１２…胴部
１３…天部
１５…飲み口
１６…介在フィルム
１７…封止材
２０…密封シール部
２１…仮接着部
【図１】
0004003272.tif 000002
【図２】
0004003272.tif 000003
【図３】
0004003272.tif 000004
【図４】
0004003272.tif 000005